(57)【要約】【課題】商品室間の空気の移動を抑制することによって、消費電力の低減、並びに、商品温度の調整精度の向上を可能にし、また、庫内外間の熱伝導を抑制することによって、結露の発生防止、消費電力の低減を可能にする自動販売機を提供する。【解決手段】配線束１２２が、仕切り板１０３の前端面１３０に開口する切欠き部１３３を貫通する位置にシール部材１４０を有し、シール部材１４０が隣接した商品室７にまたがることなく、分割して配線束１２２を把持することで、隣接した商品室７の温度設定がコールド販売モード（冷却運転）とホット販売モード（加熱運転）のとき、シール部材１４０の熱伝導を抑えることが可能となる。【選択図】図１
2012018444.tif 000002
【特許請求の範囲】
【請求項１】
前面を開閉する内扉が設置された商品収納庫と、前記商品収納庫を複数の商品室に仕切る仕切り板と、前記仕切り板を貫通して配置された配線束と、前記商品室に収納された商品に冷風または温風を供給する温度調整手段とを有する自動販売機であって、前記配線束が前記仕切り板の端面に開口する切欠き部を貫通する位置にシール部材を有し、前記シール部材は分割して前記配線束を把持することを特徴とする自動販売機。
【請求項２】
前記仕切り板の端面に開口する切欠き部の前端に凸部を形成したことを特徴とする請求項１に記載の自動販売機。
【請求項３】
前面を開閉する内扉が設置された商品収納庫と、冷却ユニットを収納するための機械室と、電装品を収納するための電装品収納室と、前記商品収納庫と前記機械室および前記電装品収納室を仕切る底板と、前記底板を貫通して配置された配線束と、前記商品収納庫に収納された商品に冷風または温風を供給する温度調整手段とを有する自動販売機であって、前記配線束が前記底板の端面に開口する切欠き部を貫通する位置にシール部材を有し、前記シール部材分割して前記配線束を把持することを特徴とする自動販売機。
【請求項４】
前記底板の前端面に開口する切欠き部の前端に凸部を形成したことを特徴とする請求項３に記載の自動販売機。
【請求項５】
前記底板の前端面に開口する切欠き部の前端にヒレを形成したことを特徴とする請求項３に記載の自動販売機。
【発明の詳細な説明】
【技術分野】
【０００１】
本発明は、自動販売機、特に、容器入り飲料商品を加熱、あるいは冷却して販売する自動販売機に関するものである。
【背景技術】
【０００２】
図１２〜図２０は、それぞれ従来の自動販売機の構成を説明する模式図であって、図１２は従来の自動販売機の側面断面図、図１３は従来の自動販売機の正面断面図、図１４は従来の自動販売機の要部斜視図、図１５は従来の自動販売機の仕切り板の斜視図、１６は従来の自動販売機の仕切り板の切欠き部の斜視図、図１７は従来の自動販売機の仕切り板の切欠き部の部分断面図、図１８は自動販売機の庫内と庫外を貫通する配線通路部の配線束挿入前の斜視図、図１９は自動販売機の庫内と庫外を貫通する配線通路部の配線束挿入後の斜視図、図２０は自動販売機の庫内と庫外を貫通する配線通路部の部分断面図である。
【０００３】
図１２、図１３および図１４において、自動販売機９００は、商品収納庫２と、機械室２０と、電装品収納室２１を有する本体筐体１によって形成されている。
【０００４】
商品収納庫２は商品を補充する時に開閉する商品補充扉４と、商品収納庫２と外気を遮断するための内扉５と、収納する商品Ｓのサンプル等を陳列する前扉６とを有している。また、商品収納庫２は、仕切り板３によって複数の商品室７Ａ、７Ｂ、７Ｃ（以下、まとめて「商品室７」と総称する場合がある）に仕切られている。また、底板２３によって商品収納庫２（庫内）と機械室２０（庫外）および電装品収納室２１（庫外）に仕切られている。
【０００５】
なお、仕切り板３は、本体筐体１の前面から背面に向かう方向で底板２３に設置されたレール（図示しない）上に取り付けられ、天井２４にネジ止めして固定されている。そして仕切り板３の背面側の端面（以下「後端面」と称す）は本体筐体１の内側壁に当接し、前面側の端面（以下「前端面」と称す）３０は、商品補充扉４および内扉５が閉じられた際、その内面に当接する。商品室７には、商品Ｓを収納するための商品収納ラック８と、商品収納ラック８から落下した商品Ｓを取り出すための商品取り出し口９（内扉５に設けられた開口部に同じ）と、商品収納ラック８から落下した商品Ｓを商品取り出し口９まで誘導する商品誘導板１０とが設けられている。
【０００６】
また、商品室７の商品誘導板１０の下方で底板２３の上方が庫内部品収納室１１であって、庫内部品収納室１１には、冷却ユニットの蒸発器１２と、商品Ｓを加熱するためのヒータ１３と、蒸発器１２やヒータ１３の熱を商品に伝達するための庫内ファン１４と、庫内ファン１４を固定するためのシュラウド１５と、庫内風洞１６と、庫内温度をセンシングする庫内温度センサー１７とが配置されている。そして、商品室７の背面には、商品室７の上方の庫内空気を吸い込んで、庫内部品収納室１１（蒸発器１２等）に吹き出すための背面ダクト１８が設置されている。
【０００７】
さらに、商品収納庫２の下方には、冷却ユニットのコンデンシングユニット１９を収納するための機械室２０、および電装品（図示しない）を収納するための電装品収納室２１が配置されている。そして、電装品収納室２１に収納された電装品（図示しない）と庫内部品収納室１１に配置されたヒータ１３等の各庫内部品とは配線束２２によって連結され、電力や制御信号等が伝送されている。
【０００８】
図１５および図１６において、仕切り板３は表面をクラフトグレー印刷した板状の断熱材３１と、板状の断熱材３１に両面接着テープで固定された破損防止用板金３２と、前端面３０に設けられたパッキン３４と、前端面３０に開口する切欠き部３３とを有している。そして、切欠き部３３を配線束２２が貫通している。このとき、配線束２２は部分的にシール部材４０によって把持され、シール部材４０はパッキン３４によって切欠き部３３に押し込まれて切欠き部３３に充満している。なお、パッキン３４はネジ（図示しない）によって仕切り板３に固定され、切欠き部３３の開口部を塞いでいる。
【０００９】
したがって、商品室７Ａ、７Ｂ、７Ｃ毎に定めたコールドまたはホット販売モードに合わせて冷却・加熱を行う。たとえば、商品室７Ａおよび７Ｂをコールド販売モードに、商品室７Ｃをホット販売モードにする場合（いわゆる「ＣＣＨ販売モード」に同じ）、商品室７Ａおよび７Ｂでは、蒸発気１２を冷却し、蒸発気１２に空気を送風して熱交換を行い、熱交換後の空気を商品Ｓに送風することで、商品収納ラック８に収納された商品Ｓの冷却を行う。一方、商品室７Ｃでは、ヒータ１３を運転して、ヒータ１３に空気を送風して熱交換を行い、熱交換後の空気を商品Ｓに送風することで、商品収納ラック８に収納された商品Ｓの過熱を行う。（例えば、特許文献１参照）。
【００１０】
図１８、図１９および図２０において、底板２３は硬質ウレタン断熱材および軟質フォーム断熱材で形成されており、前端面６０に開口する切欠き部６１を有している。そして、切欠き部６１を配線束２２が貫通している。このとき、配線束２２は部分的にシール部材６２によって把持され、シール部材６２は切欠き部６１に押し込まれて切欠き部６１に充満している。
【先行技術文献】
【特許文献】
【００１１】
【特許文献１】特開２００４−７０５８９号公報
【発明の概要】
【発明が解決しようとする課題】
【００１２】
配線束２２を把持しているシール部材４０は配線束２２の周囲を巻き込むように貼り付けられている。配線束２２の断面形状は丸形状であるため配線束２２を把持しているシール部材４０の断面形状も同様に丸形状となっている。また、仕切り板３の前端面３０の下部に形成されている切欠き部３３の形状は前方から後方に向け同寸法で開口している。この切欠き部３３に配線束２２を挿入すると切欠き部３３の前方部分に隙間Ｇが出来てしまい、隣り合う商品室７間で空気の出入りが発生する。（図１７の（ｂ）参照）。特に、隣接する商品室７の一方がホット販売モード（加熱運転）で他方がコールド販売モード（冷却運転）の場合、加熱された空気と冷却された空気が隙間Ｇから相互に出入りして消費電力が増加するという問題があった。
【００１３】
また、自動販売機９００はこのような空気の出入りがないことを前提に商品Ｓの温度が設定温度範囲内になるように調整されているため、ホット販売モードの商品室７に隣接するコールド販売モードの商品室７から、冷却された空気が侵入すると、加熱側の商品Ｓが冷却されて設定範囲外になるおそれ、あるいは、コールド販売モードの商品室７に隣接するホット販売モードの商品室７から、加熱された空気が侵入すると、冷却側の商品Ｓが加熱されて設定範囲外になるおそれがあるおそれがあるという問題があった。
【００１４】
また、シール部材４０が隣接する商品室７間をまたがって把持されているので、一方の商品室がコールド販売モードでもう一方がホット販売モードのとき、シール部材で熱伝導が生じるという問題があった。
【００１５】
また、底板２３は硬質ウレタン断熱材や軟質フォーム断熱材で形成されており、庫内側に配置されている庫内部品収納室１１と庫外側に配置されている電装品収納室２１および機械室２０を断熱的に仕切るものである。内扉５が接する前端面６０には前側に開口した切欠き部６１が形成され、この切欠き部６１を配線束２２が庫内部品収納室１１から電装品収納室２１に貫通している。なお、配線束２２の貫通部分にはシール部材６２によって把持され、貫通部分で隙間が極力出ないように形成されている。
【００１６】
しかしながら、シール部材６２が庫内部品収納室１１と電装品収納室２１をまたがって把持さているので、庫内部品収納室１１がコールド販売モード（冷却運転）の場合、冷却された空気が庫内部品収納室１１側のシール部材を冷却し、電装品収納室２１側のシール部材を熱伝導によって結露させるおそれがあるという問題があった。
【００１７】
また、配線束２２の貫通部分にはシール部材６２を把持しているが、切欠き部６１に押し込まれる配線束２２の押し込み状態によって貫通部分に隙間Ｈが出来てしまい、庫内部品収納室１１と電装品収納室２１間で空気の出入りが発生する。（図２０の（ｂ）参照）。これにより、加熱された空気または冷却された空気が隙間Ｈからもれるため消費電力が増加するという問題があった。
【００１８】
本発明は、前記商品室間の空気の移動を抑制することによって、消費電力の低減、並びに、商品温度の調整精度の向上を可能にし、また、庫内外間の熱伝導を抑制することによって、結露の発生防止、消費電力の低減を可能にする自動販売機を提供することを目的とする。
【課題を解決するための手段】
【００１９】
前記従来の課題を解決するために、本発明の自動販売機は、前面を開閉する内扉が設置された商品収納庫と、前記商品収納庫を複数の商品室に仕切る仕切り板と、前記仕切り板を貫通して配置された配線束と、前記商品室に収納された商品に冷風または温風を供給する温度調整手段とを有する自動販売機であって、前記配線束が前記仕切り板の端面に開口する切欠き部を貫通する位置にシール部材を有し、前記シール部材は分割して前記配線束を把持するものである。
【００２０】
これにより、仕切り板の切欠き部を貫通する配線束の貫通部分において、隣接する商品室にまたがることなく分離して配線束にシール部材を把持するので、隣接した商品室の温度設定がコールド販売モード（冷却運転）とホット販売モード（加熱運転）のとき、シール部材の熱伝導を抑えることができる。
【発明の効果】
【００２１】
本発明の自動販売機は、仕切り板の切欠き部を貫通する配線束の貫通部分において、隣接する商品室にまたがることなく分離して配線束にシール部材を把持するので、隣接した商品室の温度設定がコールド販売モード（冷却運転）とホット販売モード（加熱運転）のとき、シール部材の熱伝導を抑えることができるので、消費電力の低減、並びに、商品温度の調整精度の向上を可能にし、また、庫内外間の熱伝導を抑制することによって、結露の発生防止、消費電力の低減を可能にする自動販売機を提供することができる。
【図面の簡単な説明】
【００２２】
【図１】本発明の実施の形態１における自動販売機の庫内全体の斜視図
【図２】本発明の実施の形態１における自動販売機の仕切り板の斜視図
【図３】本発明の実施の形態１における自動販売機の仕切り板の切欠き部の詳細図
【図４】本発明の実施の形態１における仕切り板の切欠き部の断面図
【図５】本発明の実施の形態２における自動販売機の庫内全体の斜視図
【図６】本発明の実施の形態２における自動販売機の底板の切欠き部の配線束挿入前の斜視図
【図７】本発明の実施の形態２における自動販売機の底板の切欠き部の配線束挿入後の斜視図
【図８】本発明の実施の形態２における自動販売機の底板の凸部形状切欠き部の配線束挿入前の斜視図
【図９】本発明の実施の形態２における底板の凸部形状切欠き部の断面図
【図１０】本発明の実施の形態２における底板のヒレ部形状切欠き部の配線束挿入前の斜視図
【図１１】本発明の実施の形態２における底板のヒレ部形状切欠き部の断面図
【図１２】従来の自動販売機の側面断面図
【図１３】従来の自動販売機の正面断面図
【図１４】従来の自動販売機の要部斜視図
【図１５】従来の自動販売機の仕切り板の斜視図
【図１６】従来の自動販売機の仕切り板の切欠き部の斜視図
【図１７】従来の自動販売機の仕切り板の切欠き部の部分断面図
【図１８】従来の自動販売機の庫内と庫外を貫通する配線通路部の配線束挿入前の斜視図
【図１９】従来の自動販売機の庫内と庫外を貫通する配線通路部の配線束挿入後の斜視図
【図２０】自動販売機の庫内と庫外を貫通する配線通路部の部分断面図
【発明を実施するための形態】
【００２３】
請求項１に記載の発明は、前面を開閉する内扉が設置された商品収納庫と、前記商品収納庫を複数の商品室に仕切る仕切り板と、前記仕切り板を貫通して配置された配線束と、前記商品室に収納された商品に冷風または温風を供給する温度調整手段とを有する自動販売機であって、前記配線束が前記仕切り板の端面に開口する切欠き部を貫通する位置にシール部材を有し、前記シール部材は分割して前記配線束を把持するものであり、仕切り板の切欠き部を貫通する配線束の貫通部分において、隣接する商品室にまたがることなく分離して配線束にシール部材を把持するので、隣接した商品室の温度設定がコールド販売モード（冷却運転）とホット販売モード（加熱運転）のとき、シール部材の熱伝導を抑えることができるので、消費電力の低減、並びに、商品温度の調整精度の向上を可能にし、また、庫内外間の熱伝導を抑制することによって、結露の発生防止、消費電力の低減を可能にする自動販売機を提供することができる。
【００２４】
請求項２に記載の発明は、請求項１に記載の発明において、前記仕切り板の端面に開口する切欠き部の前端に凸部を形成したものであり、シール部材を把持した配線束を前記切欠き部に挿入したときに、前記配線束と前記仕切り板のパッキンとの間に隙間を生じることがなくなり、隣接した商品室間での空気の移動が抑えられ省エネを図ることが出来る。
【００２５】
請求項３に記載の発明は、前面を開閉する内扉が設置された商品収納庫と、冷却ユニットを収納するための機械室と、電装品を収納するための電装品収納室と、前記商品収納庫と前記機械室および前記電装品収納室を仕切る底板と、前記底板を貫通して配置された配線束と、前記商品収納庫に収納された商品に冷風または温風を供給する温度調整手段とを有する自動販売機であって、前記配線束が前記底板の端面に開口する切欠き部を貫通する位置にシール部材を有し、前記シール部材分割して前記配線束を把持するものであり、一方のシール部材が前記商品収納庫（庫内）側に把持され、もう一方が前記機械室および電装品収納室（庫外）側に把持されるので、前記商品収納庫（庫内）側がコールド販売モード（冷却運転）のとき、前記商品収納庫（庫内）側と前記機械室および電装品収納室（庫外）側間の熱伝導が抑えられる。これにより、前記機械室および電装品収納室（庫外）側のシール部材および配線束の表面に結露することを抑えることが出来る。また、省エネも図ることが出来る。
【００２６】
請求項４に記載の発明は、請求項３に記載の発明において、前記底板の前端面に開口する切欠き部の前端に凸部を形成したものであり、シール部材を把持した配線束を前記切欠き部に挿入したときに、前記配線束と押さえ板との間に隙間を生じることがなくなり、前記商品収納庫（庫内）側と前記機械室および電装品収納室（庫外）側間での空気の移動が抑えられ省エネを図ることが出来る。
【００２７】
請求項５に記載の発明は、請求項３に記載の発明において、前記底板の前端面に開口する切欠き部の前端にヒレを形成したものであり、シール部材を把持した配線束を前記切欠き部に挿入したときに、前記配線束と押さえ板との間に隙間を生じることがなくなり、前記商品収納庫（庫内）側と前記機械室および電装品収納室（庫外）側間での空気の移動が抑えられ省エネを図ることが出来る。
【００２８】
以下、本発明の実施の形態について、図面を参照しながら説明する。なお、この実施の形態によってこの発明が限定されるものではない。
【００２９】
（実施の形態１）
図１は本発明の実施の形態１における自動販売機の庫内全体の斜視図、図２は本発明の実施の形態１における自動販売機の仕切り板の斜視図、図３は本発明の実施の形態１における仕切り板の切欠き部の詳細図、図４は本発明の実施の形態１における仕切り板の切欠き部の断面図である。
【００３０】
図１において、本発明の自動販売機は、本体庫内１０１の側面に断熱材１０１ａ（ウレタンフォームなどの発泡樹脂やアルミフィルムで密閉された真空断熱材）を備えた断熱筐体であり、本体庫内１０１は断熱材１０１ａと同様の素材で構成された仕切り板１０３を備えて複数の商品収納部に仕切られている。その複数の商品収納部にジュースなどの缶・ビン・ＰＥＴ商品等を収納する商品収納ラック１０８が複数配置され、配線束１２２は仕切り板１０３の前端面１３０の下部に形成された切欠き部１３３を貫通して、本体庫内１０１の下部に備えた電装品収納室１２１に収納された電装品（図示しない）と商品収納ラック１０８に備えた搬出装置（図示しない）などの機能部品とを接続して敷設されている。
【００３１】
図２および図３において仕切り板１０３の前端面１３０の下部に形成された切欠き部１３３を貫通する部分の配線束１２２について説明する。シール部材１４０は軟質ウレタンフォームなどの発泡樹脂であり、断熱材やシール材として使われている。このシール部材１４０を配線束１２２に２箇所、隙間をあけて貼り付ける。そして、配線束１２２を切欠き部１３３に挿入するとき、この隙間が切欠き部１３３の中止位置に配置されるようにする。これによって、２箇所のシール部材１４０の一方は収納室Ａに配置され、もう一方のシール部材１４０は収納室Ｂに配置されることになる。これにより、収納室Ａの温度設定がコールド販売モード（冷却運転）で収納室Ｂの温度設定がホット販売モード（加熱運転）のとき、収納室Ａと収納室Ｂの温度差が生じるがシール部材が分離されているのでシール部材１４０を介して熱伝導が起こらない。このため、消費電力量を抑えることが出来るので省エネを図ることが可能となる。
【００３２】
図４において切欠き部１３３は前方に凸部１５０を上下に形成している。これにより、切欠き部１３３の開口部は前方が狭くなるので、配線束１２２および配線束１２２を把持しているシール部材１４０の形状は丸形状であるが、凸部１５０によって配線束１２２の挿入後の隙間を封止することが出来る。このため、温度差がある隣接した収納室間の空気の移動が生じなくなり、消費電力量を抑えることが出来るので省エネを図ることが可能となる。
【００３３】
（実施の形態２）
図５は本発明の実施の形態２における自動販売機の庫内全体の斜視図、図６は本発明の実施の形態２における自動販売機の底板の切欠き部の配線束挿入前の斜視図、図７は本発明の実施の形態２における自動販売機の底板の切欠き部の配線束挿入後の斜視図、図８は本発明の実施の形態２における自動販売機の底板の凸部形状切欠き部の配線束挿入前の斜視図、図９は本発明の実施の形態２における底板の凸部形状切欠き部の断面図、図１０（ａ）（ｂ）は本発明の実施の形態２における底板のヒレ部形状切欠き部の配線束挿入前の斜視図、図１１は本発明の実施の形態２における底板のヒレ部形状切欠き部の断面図である。
【００３４】
図５において、本発明の自動販売機は、本体庫内１０１の側面に断熱材１０１ａ（ウレタンフォームなどの発泡樹脂やアルミフィルムで密閉された真空断熱材）を備えた断熱筐体であり、本体庫内１０１は断熱材１０１ａと同様の素材で構成された仕切り板１０３を備えて複数の商品収納部に仕切られている。その複数の商品収納部にジュースなどの缶・ビン・ＰＥＴ商品等を収納する商品収納ラック１０８が複数配置され、配線束１２２は仕切り板１０３の前端面１３０の下部に形成された切欠き部１３３と底板１２３の前端面１６０に形成された切欠き部１６１を貫通して、本体庫内１０１の下部に備えた電装品収納室１２１に収納された電装品（図示しない）と商品収納ラック１０８に備えた搬出装置（図示しない）などの機能部品とを接続して敷設されている。
【００３５】
図６および図７において底板１２３の前端面１６０に形成された切欠き部１６１を貫通する部分の配線束１２２について説明する。シール部材１６２は軟質ウレタンフォームなどの発泡樹脂であり、断熱材やシール材として使われている。このシール部材１６２を配線束１２２に２箇所、隙間をあけて貼り付ける。そして、配線束１２２を切欠き部１６１に挿入するとき、この隙間が切欠き部１６１の中止位置に配置されるようにする。これによって、２箇所のシール部材１６２の一方は庫内側に配置され、もう一方のシール部材１６２は庫外側に配置されることになる。これにより、庫内側の温度設定がコールド販売モード（冷却運転）で庫外側の外気温度が庫内側の温度よりも高いとき、庫内側と庫外側に温度差が生じるがシール部材１６２が分離されているのでシール部材１６２を介して熱伝導が起こらない。このため、消費電力量を抑えることが出来るので省エネを図ることが可能となる。また、梅雨の時期などの外気温が高く、湿度が高いときにおいては、庫内側と庫外側との温度差によって庫外側に結露が発生するが、本実施の形態ではシール部材１６２が庫内側と庫外側に分離されているので、庫外側に結露が発生しない。
【００３６】
図８および図９において切欠き部２６１は前方に凸部２６２を左右に形成している。これにより、切欠き部２６１の開口部は前方が狭くなるので、配線束１２２および配線束１２２を把持しているシール部材１６２の形状は丸形状であるが、凸部２６２によって配線束１２２の挿入後の隙間を封止することが出来る。このため、温度差がある庫内側と庫外側の空気の移動が生じなくなり、消費電力量を抑えることが出来るので省エネを図ることが可能となる。
【００３７】
図１０（ａ）、（ｂ）および図１１において切欠き部３６１は前方にヒレ部３６２を切欠き部３６１の前方の開口部を封止すように形成している。底板３２３の素材は弾性素材であり、配線束１２２を切欠き部に挿入するときは、弾性素材であるヒレ部３６２を弾性変形させて挿入する（図１１（ａ）の矢印Ａ参照）。挿入後は切欠き部３６１の開口部はヒレ部３６２で押えられるので、配線束１２２および配線束１２２を把持しているシール部材１６２の形状は丸形状であるが、ヒレ部３６２によって配線束１２２の挿入後の隙間を封止することが出来る。このため、温度差がある庫内側と庫外側の空気の移動が生じなくなり、消費電力量を抑えることが出来るので省エネを図ることが可能となる。
【産業上の利用可能性】
【００３８】
以上のように、本発明にかかる自動販売機は、仕切り板によって仕切られた複数の商品室を有する自動販売機や冷却された庫内側と庫外側を仕切る部材を利用しているショーケースや冷蔵庫等に適用できる。
【符号の説明】
【００３９】
１０１    本体庫内
１０１ａ  断熱材
１０３    仕切り板
１０８    商品収納ラック
１２１    電装品収納室
１２２    配線束
１２３、３２３  底板
１３０、１６０  前端面
１３３、１６１、２６１、３６１  切欠き部
１４０、１６２  シール部材
１５０、２６２  凸部
３６２    ヒレ部
【図１】
2012018444.tif 000003
【図２】
2012018444.tif 000004
【図３】
2012018444.tif 000005
【図４】
2012018444.tif 000006
【図５】
2012018444.tif 000007
【図６】
2012018444.tif 000008
【図７】
2012018444.tif 000009
【図８】
2012018444.tif 000010
【図９】
2012018444.tif 000011
【図１０】
2012018444.tif 000012
【図１１】
2012018444.tif 000013
【図１２】
2012018444.tif 000014
【図１３】
2012018444.tif 000015
【図１４】
2012018444.tif 000016
【図１５】
2012018444.tif 000017
【図１６】
2012018444.tif 000018
【図１７】
2012018444.tif 000019
【図１８】
2012018444.tif 000020
【図１９】
2012018444.tif 000021
【図２０】
2012018444.tif 000022